(57)【要約】【課題】搬送途中などに他の装置や部材と引っ掛かることがなく、確実に発射速度を調整することのできる遊技機の弾球速度調整装置を提供する。【解決手段】モーター４の回転により動力伝達部材８と一体に回動される弾球槌３の回動軸３１に、捻りコイルバネ１０と短筒状の回動部材９とを挿着し、捻りコイルバネ１０の一端１０１を動力伝達部材８に掛止し他端１０２を調整アーム９１が突設された回動部材９に掛止する。捻りコイルバネ１０と操作ハンドルの回動軸２０との間には、リンクロッド７２、７３などからなるバネ押圧機構７を介装する。操作ハンドルを廻してバネ押圧機構７を介して回動部材９の調整アーム９１を周方向に押圧することにより、捻りコイルバネ１０を捻回して球の発射速度を調整する。【選択図】    図３
2004180897.tif 000002
【特許請求の範囲】
【請求項１】
操作ハンドルを回動することにより、弾球槌の回動軸に挿着された捻りコイルバネを捻回して球発射速度を調整する遊技機の弾球速度調整装置であって、捻りコイルバネと操作ハンドルとの間に、捻りコイルバネの一端を周方向に押圧するためのバネ押圧機構を介装したことを特徴とする遊技機の弾球速度調整装置。
【請求項２】
バネ押圧機構を、ロッドからなるリンク機構とした請求項１に記載の遊技機の弾球速度調整装置。
【請求項３】
バネ押圧機構を、レバーを備えたものとした請求項１に記載の遊技機の弾球速度調整装置。
【請求項４】
弾球槌の回動軸には捻りコイルバネと短筒状の回動部材とが挿着されており、前記捻りコイルバネは一端が弾球槌に掛止され他端が前記回動部材に掛止されていて、ロッド又はレバーが回動部材に突設された調整アームを押圧して回動することにより捻りコイルバネを捻回するようにした請求項２又は３に記載の遊技機の弾球速度調整装置。
【発明の詳細な説明】
【０００１】
【発明の属する技術分野】
本発明は、球の発射速度を適宜の速度に調整するための遊技機の弾球速度調整装置に関するものである。
【０００２】
【従来の技術】
パチンコ機の正面下部には、球を上方の遊技盤内に打込むための球発射装置が設けられているが、この球発射装置は、基板に１次レールと球を打ち出す弾球機構と、弾球速度調整装置とが備えられたものである。ここで弾球機構は、１次レールの球発射位置に供給された球を発射バネで付勢された弾球槌により弾球することにより、球を発射するものである。
【０００３】
上記のような球発射装置において、従来の弾球速度調整装置は特開平１１−１３７７８２号公報に示されているようにワイヤ―方式を用いたものであった。すなわち、操作ハンドルを回動することによりワイヤーを介して弾球槌に取付けられた発射バネを伸長して弾球槌の付勢力を増加させ、球の発射速度を増加することができるように構成されたものであった。
しかしながら、このようなワイヤー方式の弾球速度調整装置は、ワイヤーは細く変形し易いものであるためにワイヤーが搬送の途中或いは組み立て作業中に他の装置や部材と引っ掛かりやすいものであった。このためワイヤーが外れたり過度に緊張される結果バネが緩んでしまい、弾球発射速度が当初の設計より遅くなったり、或いは球の発射に支障を来すなどの問題を生じ易いものであった。
【０００４】
【特許文献１】特開平１１−１３７７８２号公報（第３頁、図１）
【０００５】
【発明が解決しようとする課題】
本発明は上記した従来の問題点を解決し、搬送の途中或いは組み立て作業中に他の装置や部材と引っ掛かることがなく、確実に発射速度を調整することのできる遊技機の弾球速度調整装置を提供するためになされたものである。
【０００６】
【課題を解決するための手段】
上記の課題を解決するためになされた本発明の遊技機の弾球速度調整装置は、操作ハンドルを回動することにより、弾球槌の回動軸に挿着された捻りコイルバネを捻回して球発射速度を調整する遊技機の弾球速度調整装置であって、捻りコイルバネと操作ハンドルとの間に、捻りコイルバネの一端を周方向に押圧するためのバネ押圧機構を介装したことを特徴とするものである。なお、バネ押圧機構を、ロッドからなるリンク機構とすることができ、バネ押圧機構を、レバーを備えたものとすることができ、また、弾球槌の回動軸には捻りコイルバネと短筒状の回動部材とが挿着されており、前記捻りコイルバネは一端が弾球槌に掛止され他端が前記回動部材に掛止されていて、ロッド又はレバーが回動部材に突設された調整アームを押圧して回動することにより捻りコイルバネを捻回するようにすることができる。
【０００７】
【発明の実施の形態】
以下に図面を参照しつつ本発明の好ましい実施形態を説明する。
図１、２は第１の実施形態の弾球速度調整装置を備えた弾球発射装置を示す図であって、基板１上に１次レール１１と弾球機構２とバネ押圧機構７とが配設されている。また、この弾球発射装置には揺動レバー６を備えた球供給装置５が基板１に直接固定されている。
【０００８】
弾球機構２は弾球槌３とモーター４とを主要構成とする。モーター４は回転軸４１に勾玉状の駆動カム４２を有し、弾球槌３の回動軸３１には駆動アーム８１を有する動力伝達部材８が軸着されており、駆動アーム８１が駆動カム４２により押し上げられたときに、弾球槌３は動力伝達部材８と一体に回動して球の発射準備のために後退する。なお、図において弾球槌３は弾球する先端が回動軸３１の下方を回動する下向きに取付けられているが、上向きであっても何ら差し支えはない。
【０００９】
動力伝達部材８には駆動アーム８１に対して略直角方向に作動カム８２が形成されており、動力伝達部材８の回動がこの作動カム８２から揺動レバー６に伝達される。揺動レバー６は先端に二股状の球保持部６１が形成されており、支軸６２を中心に間欠的に揺動して、上皿から球保持部６１に取り入れた球を一定のタイミングで１次レール１１の球発射位置に供給する。
【００１０】
第１の実施形態の弾球速度調整装置の詳細を図３、４に示すが、この弾球速度調整装置におけるバネ押圧機構７は、ロッド７２とレバー構造のロッド７３とが組み合わされたリンク機構のものである。これらロッド７２、７３の断面形状には特に制限はない。
２０は遊技者が球の発射操作を行う操作ハンドルの回動軸である。弾球槌３の回動軸３１には、動力伝達部材８とは独立して回動する短筒状の回動部材９と、捻りコイルバネ１０とが挿着されており、回動部材９はロッド７３の一端と係合する調整アーム９１が中心から外方向に突設されている。また、捻りコイルバネ１０は一端１０１が回動部材９に掛止され、他端１０２は動力伝達部材８の駆動アーム８１の基部に掛止されている。
【００１１】
ロッド７２は、一端が回動軸２０に突設された回動片２０１と連結部７２２により回動可能に軸着され、他端はロッド７３と連結部７２１により回動可能に軸着されている。さらに、ロッド７３は、支軸７３１を中心に回動可能であって、一端にコロ７３２が軸着されて調整アーム９１と係合する。
図３においては、回動軸２０の回動片２０１がストッパー１２に当接されていて操作ハンドルが回動前であって、捻りコイルバネ１０は最も弛緩した状態にある。
【００１２】
遊技の開始時に遊技者が操作ハンドルを回動すると、図５に示すように、回動軸２０の回動片２０１が時計回りに回動されて、ロッド７２が引っ張られロッド７３が回動して、ロッド７３の先端のコロ７３２が調整アーム９１を時計回り方向に押圧するので、捻りコイルバネ１０は締め上げられて緊張される。遊技者が操作ハンドルを操作することにより、弾球槌３は球発射位置から後退して回動し、駆動カム４２と駆動アーム８１との係合が解除されたとたんに、捻りコイルバネ１０の弾発力により弾球槌３は瞬時に戻って球を弾球して発射する。操作ハンドルの回動の程度によってバネ押圧機構７は、捻りコイルバネ１０の捻り角度を調節することができるので、遊技者は捻りコイルバネ１０の弾発力を調整して適宜の弾球速度でもって球を発射することができる。
なお、上記の実施形態においては、捻りコイルバネ１０を締付け方向に捻回してバネの弾発力を強化したが、巻き戻し方向に捻回して弾発力を強化、調整することもできるのは、もちろんのことである。
【００１３】
第２の実施形態の弾球速度調整装置を図６に示す。本弾球速度調整装置におけるバネ押圧機構７は一本のロッド７４からなるものであって、このロッド７４はリンクロッドである。すなわち、ロッド７４の一端は回動片２０１と連結部７４１により回動可能に軸着され、他端は直接回動部材９の調整アーム９１と連結部７４２により回動可能に軸着されている。このようなバネ押圧機構７によっても、図７に示すように、回動軸２０を廻すことによって回動部材９を時計回り方向に回動させることにより捻りコイルバネ１０の一端を押圧して捻回することができる。なお、回動片２０１をカムとしてロッド７４を直線的に押し出すようにしても調整アーム９１を回動することができる。
【００１４】
図８はレバー構造のロッド７５のみからなるバネ押圧機構７を備えた弾球発射装置を示す図である。この図において、ロッド７５はくの字形に曲げられており、支軸７５１を中心に回動する。また、ロッド７５は一方の先端が扇形に拡張されていて，その先端部にギア７５２が形成され、他端には調整アーム９１と係合するコロ７５３が設けられている。
また、回動片２０１も扇形に形成されていてその周縁部にギア２０２が形成され、ロッド７５のギア７５２と噛合されている。したがって、回動軸２０を回動することによって、回動片２０１と噛合しているロッド７５が回動されて調整アーム９１を押圧するので、捻りコイルバネ１０を捻回することができる。
【００１５】
さらに、図９に示すように、ロッド７５を両端にギア７５２とギア７５４を有する板状のレバーとしたうえに調整アーム９１にもギア９２を設けて、ギア２０２とギア７５２を噛合させ、ギア７５４とギア９２とを噛合させることによっても、図８に示したものと同様に捻りコイルバネ１０を捻回することができる。
【００１６】
【発明の効果】
以上に説明したように、本発明の遊技機の弾球速度調整装置は、操作ハンドルを回動することにより、弾球槌の回動軸に挿着された捻りコイルバネを捻回して弾発射速度を調整する遊技機の弾球速度調整装置であって、捻りコイルバネと操作ハンドルとの間に、捻りコイルバネの一端を周方向に押圧するためのバネ押圧機構を介装したので、簡単な構造で捻りコイルバネを締付け或いは巻き戻してその張力を調節することができる。また、バネ押圧機構を、ロッドからなるリンク機構或いはレバーを備えたものとしたので、ワイヤーを用いた場合のように弾球速度調整機構が他の装置や部材と引っ掛かることがない。また、弾球槌の回動軸にコイル状の捻りコイルバネと短筒状の回動部材とを挿着し、捻りコイルバネの一端を弾球槌に掛止し他端を回動部材に掛止したので、ロッド又はレバーが回動部材に突設された調整アームを押圧して回動することにより捻りコイルバネを捻回して球の発射速度を適宜の速度に調整することができる。
したがって、本発明は、簡単な構造で捻りコイルバネを捻回して球の発射速度を的確に調整することができるという大きな利点を有するものである。
【図面の簡単な説明】
【図１】第１の実施形態の弾球速度調整装置を備えた弾球発射装置を示す正面図である。
【図２】第１の実施形態の弾球速度調整装置を備えた弾球発射装置を示す平面図である。
【図３】第１の実施形態の弾球速度調整装置を示す正面図である。
【図４】第１の実施形態の弾球速度調整装置を示す平面図である。
【図５】第１の実施形態の弾球速度調整装置により捻りコイルバネを捻回した状態を示す正面図である。
【図６】第２の実施形態の弾球速度調整装置を示す正面図である。
【図７】第２の実施形態の弾球速度調整装置により捻りコイルバネを捻回した状態を示す正面図である。
【図８】第３の実施形態の弾球速度調整装置を備えた弾球発射装置を示す正面図である。
【図９】第４の実施形態の弾球速度調整装置を備えた弾球発射装置を示す正面図である。
【符号の説明】
３  弾球槌
３１  弾球槌の回動軸
７  バネ押圧機構
７２  ロッド
７３  ロッド
８  動力伝達部材
９  回動部材
９１  調整アーム
１０  捻りコイルバネ
１０１  捻りコイルバネの一端
１０２  捻りコイルバネの他端
２０  操作ハンドルの回動軸
【図１】
2004180897.tif 000003
【図２】
2004180897.tif 000004
【図３】
2004180897.tif 000005
【図４】
2004180897.tif 000006
【図５】
2004180897.tif 000007
【図６】
2004180897.tif 000008
【図７】
2004180897.tif 000009
【図８】
2004180897.tif 000010
【図９】
2004180897.tif 000011